(57)【要約】【課題】竪型ポンプ１００に別段特別な治具を装着する必要がなく、しかも、横転作業も容易な竪型ポンプ横転装置１０を提供する。【解決手段】末広がり状の筒の側部を二つの支持部材の間で回動可能に支持する。【選択図】図１
2010151020.tif 000002
【特許請求の範囲】
【請求項１】
末広がり状の筒の側部を二つの支持部材の間で回動可能に支持したことを特徴とする竪型ポンプ横転装置。
【請求項２】
前記末広がり状の筒の反末広がり側でかつ内側に、前記末広がり状の筒の中に竪型ポンプを挿入した際に、該竪型ポンプの吸込みカバーは挿通可能で該竪型ポンプの吐出しボウルは遮蔽可能なせり出し部を設けたことを特徴とする請求項１の竪型ポンプ横転装置。
【請求項３】
前記末広がり状の筒の側部から別の側部に挿通するピンを、前記末広がり状の筒の中に竪型ポンプを挿入した際に、該竪型ポンプを立面図的に見て、該竪型ポンプの吐出しボウルの外径と、前記末広がり状の筒の内径と、の間の空間に、挿通可能に設けたことを特徴とする請求項１または請求項２の竪型ポンプ横転装置。
【請求項４】
前記竪型ポンプの吸込みカバーの先にストレーナが設けられている場合に、前記二つの支持部材の、前記末広がり状の筒の側部を回動可能に支持する位置から、前記二つの支持部材の下端位置までの寸法が、前記ストレーナが他の部材または接地面と干渉することのない値とされたことを特徴とする請求項１乃至請求項３のいずれか一項に記載の竪型ポンプ横転装置。
【請求項５】
前記末広がり状の筒の中に竪型ポンプを挿入しない状態で、前記末広がり状の筒の末広がり側が、上方を向くような、バランスウエイトを、前記末広がり状の筒の反末広がり側に設けたことを特徴とする請求項１乃至請求項４のいずれか一項に記載の竪型ポンプ横転装置。
【発明の詳細な説明】
【技術分野】
【０００１】
本発明は、竪型ポンプ横転装置に関する。
【背景技術】
【０００２】
竪型ポンプの例としては、主として、汚水や廃水の浄化や濾過、不純物の沈殿などを行う水処理設備全般に用いられる、揚水用のものなどが挙げられる。
【０００３】
ここでは一例として、特許文献１に記載の、図９に示すような竪型ポンプ１００の場合を例にとる。
【０００４】
竪型ポンプ１００中、１１は主軸で、先端部に羽根車１３を取付け、羽根車ナット１４で羽根車１３を主軸１１にネジで締めて固定している。主軸１１は保護管１５に挿通された状態で揚水管１６内に同軸上に回転自在に支持され、揚水管１６の後端（上端）には吐出しエルボ１７が接続されており、先端（下端）には吐出しボウル１８が接続されている。
【０００５】
そして、この吐出しボウル１８の先端に吸込みカバー（吸込みベル）１９が接続されている。吸込みカバー１９の外周には環状凹部１９Ａが形成されており、特許文献１に記載の竪型ポンプの場合、環状凹部１９Ａに案内部材２０が嵌着によって、または、吸込みカバー１９と一体に、形成されている。
【０００６】
案内部材２０の外面２０Ａは吸込みカバー１９の環状凹部１９Ａよりも径外方向に突出している。そして、案内部材２０の外面２０Ａは、竪型ポンプ１００を図１０に示す横転姿勢から後端側、つまり吐出しエルボ１７側をクレーン等の揚げおろし機２６で引き揚げて図１１に示すように正立させるとき、あるいは、図１１の正立姿勢から後端側を吊りおろして図１０のように横転させるときに、地面２２に摺接しながら竪型ポンプ１００の横転を案内する曲率に形成されている。
【０００７】
上記特許文献１に記載の、図９乃至図１１中に登場してくる、竪型ポンプ１００を横転させるための案内部材２０の存在をみてもわかる通り、竪型ポンプ１００の横転は大きな課題になっている。
【０００８】
何しろ、大きなものになると、高さは１０ｍを超え、重さは５トンにもなる。そして、定期的なオーバーホールによるメンテナンス（分解整備）が必要であるところ、分解しないと運ぶことすらできない。分解するには、当然、横転させる必要がある。
【０００９】
特許文献２には、図１２（ａ）（ｂ）（ｃ）に示すごとく、吸込みカバー１９の環状凹部１９Ａの先端にピン穴１９ａを設け、横転台２１にも別途設けたピン穴２１ａとの間に支持ピン１９ｂを挿通させ、支持ピン１９ｂまわりに竪型ポンプ１００を回動させることを記載している。
【００１０】
なお、図１２（ａ）（ｂ）（ｃ）中、２１ｂは支持部材、２５は架台、２１ａは止め板、２１ｅは通し穴、２１ｃはネジ穴、２１ｄは止めネジ、２３はリブ、２４は台板をそれぞれ示す。
【００１１】
特許文献３には、図１３に示すごとく、竪型ポンプではなく立軸３１の横転装置が記載されており、立軸３１の下端にネジ１２ａで締結された接続金具３２から突出した支持軸３２Ａを、切り欠き３４を設けた二つの支持部材２１ｂの間に下降させ、支持軸３２Ａと切り欠き３４が係合するようにした上、引き続き立軸３１の下降を継続すると、立軸３１の下端にネジ１２ａで締結された接続金具３２の下端が揺動台３７の水平腕部３７ｃを押下し、揺動台３７は、同揺動台３７に設けられた垂直腕部３７ｄともども支点３７ａまわりに回動することによって、立軸３１をその横転する方向に付勢する。
【００１２】
なお、図１３中、３９はばねであり、立軸３１の下端にネジ１２ａで締結された接続金具３２の下端が揺動台３７の水平腕部３７ｃを押下すると、その下に設けられたばね３９にてクッション作用を受けつつ、同揺動台３７は、同揺動台３７に設けられた垂直腕部３７ｄともども支点３７ａまわりに回動する。３７ｂはボス部、３７ｅは案内面、３８は回動軸である。このほか、揺動台３７の初期取付角を調整するための調整ボルト３３とナット３３ａがある。２７は装置全体の水平度を出すためのレベリングパッド、２８は横転装置３０全体を吊り上げる際にワイヤを掛けるアイボルトである。
【００１３】
特許文献４には、図１４（ａ）（ｂ）（ｃ）に示すごとく、竪型ポンプではなく電動機の回転子の横転装置が記載されており、回転子４５の下側軸部４５ｃを軸挿入部４８に嵌め込んで回動させることを記載している。
【００１４】
なお、図１４（ａ）（ｂ）（ｃ）中、４１は横転装置、４２は基部、２１ｂは支持部材、４５ａは回転子本体、４５ｂは上側軸部、４６は把持部、４６ａは係止部、４６ｃはナット、４７は車輪装置、４９は支持体、４９ａはその底部、４９ｂはその脚部である。
【特許文献１】実開昭６３−１３８４９８号公報
【特許文献２】実開平０２−０７２３９９号公報
【特許文献３】特許第３６６４８５９号公報
【特許文献４】特開平２００４−２４８４７４号公報
【発明の開示】
【発明が解決しようとする課題】
【００１５】
しかしながら、特許文献１のように、案内部材２０の外面２０Ａを地面２２に摺接しながら竪型ポンプ１００を横転させる方法では、図９や図１１にも示した通り、吸込みカバー１９の環状凹部１９Ａを直接地面２２に立てるため、吸込みカバー１９の環状凹部１９Ａを破損しやすい問題があった。
【００１６】
また、特許文献２のように、吸込みカバー１９の環状凹部１９Ａの先端にピン穴１９ａを設け、横転台２１にも別途設けたピン穴２１ａとの間に支持ピン１９ｂを挿通させ、支持ピン１９ｂまわりに竪型ポンプ１００を回動させる方法では、１０トン以上もある竪型ポンプ１００を吊り上げた状態で、人力によりピン穴１９ａ、ピン穴２１ａ、支持ピン９ｂを挿通させる必要があり、作業の困難さに加え、安全上問題があった。
【００１７】
さらに、特許文献３のように、立軸３１の下端にネジ１２ａで締結された接続金具３２から突出した支持軸３２Ａを、切り欠き３４を設けた二つの垂直支持板２１ｂの間に下降させ、支持軸３２Ａと切り欠き３４が係合する方法でも、特許文献２の場合と似て、竪型ポンプ１００を吊り上げた状態で、人力により接続金具３２を立軸３１の下端にネジ１２ａで締結させる必要があり、作業の困難さに加え、安全上問題があった。
【００１８】
そして、特許文献４のように、支持部材２１ｂの下に車輪装置４７を設置したものを用いて横転させるものは、床面が平面かつ凹凸のない場所でしか使用できない。
【００１９】
また、車輪装置４７が動き始めるためには横方向の力が必要であり、重さが５トンにもなるポンプを横転させるとなると、当然、横引装置が必要となる。
【００２０】
さらに、下側軸部４５ｃの抜けを防止する装置がないと、横転作業中、抜けにより、下側軸部４５ｃの損傷のおそれがあるとともに、安全上問題があった。
【００２１】
本発明は、従来技術のような問題を解決するためになされたものであり、竪型ポンプ１００に別段特別な治具を装着する必要がなく、しかも、横転作業も容易な竪型ポンプ横転装置を提供することを目的とする。
【課題を解決するための手段】
【００２２】
すなわち、本発明は、以下の通りである。
（１）末広がり状の筒の側部を二つの支持部材の間で回動可能に支持したことを特徴とする竪型ポンプ横転装置。
（２）前記末広がり状の筒の反末広がり側でかつ内側に、前記末広がり状の筒の中に竪型ポンプを挿入した際に、該竪型ポンプの吸込みカバーは挿通可能で該竪型ポンプの吐出しボウルは遮蔽可能なせり出し部を設けたことを特徴とする（１）の竪型ポンプ横転装置。
（３）前記末広がり状の筒の側部から別の側部に挿通するピンを、前記末広がり状の筒の中に竪型ポンプを挿入した際に、該竪型ポンプを立面図的に見て、該竪型ポンプの吐出しボウルの外径と、前記末広がり状の筒の内径と、の間の空間に、挿通可能に設けたことを特徴とする（１）または（２）の竪型ポンプ横転装置。
（４）前記竪型ポンプの吸込みカバーの先にストレーナが設けられている場合に、前記二つの支持部材の、前記末広がり状の筒の側部を回動可能に支持する位置から、前記二つの支持部材の下端位置までの寸法が、前記ストレーナが他の部材または地面と干渉することのない値とされたことを特徴とする（１）乃至（３）のいずれか一項に記載の竪型ポンプ横転装置。
（５）前記末広がり状の筒の中に竪型ポンプを挿入しない状態で、前記末広がり状の筒の末広がり側が、上方を向くような、バランスウエイトを、前記末広がり状の筒の反末広がり側に設けたことを特徴とする（１）乃至（４）のいずれか一項に記載の竪型ポンプ横転装置。
【発明の効果】
【００２３】
本発明によれば、竪型ポンプ１００に別段特別な治具を装着する必要がなく、しかも、横転作業も容易な竪型ポンプ横転装置を提供できる。
【発明を実施するための最良の形態】
【００２４】
（第一の実施の形態）
図１に本発明の第一の実施の形態を示す。（ａ）は正面図（立面図）、（ｂ）は側面図、（ｃ）は竪型ポンプ１００を横転させた状態の側面図である。
【００２５】
１０は本実施の形態に係る竪型ポンプ横転装置である。１は末広がり状の筒である。２は支持部材である。支持部材２の下端は直接地面２２に設置してもよいし、後述する台板２４のような、図１中に点線で示す別の部材に設置してもよい。３は末広がり状の筒１を支持部材２の間で回動可能に支持する支持ピンである。
【００２６】
竪型ポンプ１００は、吊り降ろされてくると、末広がり状の筒１の、破線で囲って示す末広がり部分に最初導入され、吊り降ろされるに従って、末広がり状の筒１の内側の形状に案内され、誘導されるかたちで、末広がり状の筒１の内部に入ってくる。１０１は竪型ポンプ１００に設けたフランジであり、１０２は締結ボルトである。
【００２７】
竪型ポンプ１００の下端が末広がり状の筒１の内部に入った状態になると、竪型ポンプ１００を横転させることができ、竪型ポンプ１００に別段特別な治具を装着する必要がなく、しかも、横転作業も容易である。
【００２８】
本実施の形態では、図１に示すごとく、末広がり状の筒１の側部を二つの支持部材２の間で回動可能に支持している。ここで、図１に示す実施の形態では、末広がり状の筒１は、円筒の先（上方）に外形円錐台状の筒をつなぎあわせた形状としているが、例えば、図２に示す各種の形状や、その他の形状も含め、末広がり状である限りにおいて、いかなる形状でもよい。
【００２９】
また、図１に示す実施の形態では、支持部材２は三本脚であるが、二本脚であるとか、四本脚以上であるとか、あるいは一体物であってもよい。
【００３０】
（第二の実施の形態）
ここで、別の実施の形態の説明に移る。図３に本発明の第二の実施の形態を示す。末広がり状の筒１の反末広がり側でかつ内側に、末広がり状の筒１の中に竪型ポンプ１００を挿入した際に、竪型ポンプ１００の吸込みカバー１９は挿通可能で竪型ポンプ１００の吐出しボウル１８は遮蔽可能な、図３中に丸印で囲って示すような、せり出し部４を設けた。
【００３１】
吐出しボウル１８を遮蔽可能とは、せり出し部４の内側の寸法ｄよりも吐出しボウル１８の外形上の寸法ｄ１の方が大きい場合も、図３中に示すように、せり出し部４の内側の寸法ｄよりも吐出しボウル１８の下端に設けたフランジ１０１の外形上の寸法ｄ２の方が大きい場合も含む意味とする。
【００３２】
このようなせり出し部４を設けることによって、吊り降ろされてきた竪型ポンプ１００側の図３でいえば締結ボルト１０２が、このせり出し部４に当接する。すると、末広がり状の筒１の内部での竪型ポンプ１００の位置決めを容易に行なうことができ、それに続く横転作業をただちに行なうことができる。
【００３３】
（第三の実施の形態）
次に、また別の実施の形態の説明に移る。図４に本発明の第三の実施の形態を示す。末広がり状の筒１の側部から別の側部に挿通するピン５を、末広がり状の筒１の中に竪型ポンプ１００を挿入した際に、竪型ポンプ１００を立面図的に見て、竪型ポンプ１００の吐出しボウル１８の外径と、末広がり状の筒１の内径と、の間の空間に、挿通可能に設ける。
【００３４】
図４（ａ）（ｂ）に示すような起立姿勢から、図４（ｃ）に示すような横転姿勢にする過程でピン５が抜け落ちてしまうのを防止する目的で、ピン５に係止部分５ａを設けるのが好ましい。
【００３５】
ピン５を挿通させると、図４（ａ）（ｂ）に示すような起立姿勢から、図４（ｃ）に示すような横転姿勢にする過程で竪型ポンプ１００が末広がり状の筒１から抜け出てしまうというようなことがなくなる。
【００３６】
そのような機能を果たすのに十分なピン５の本数は、最低１本あればよいが、図４（ａ）に示すように二本設けても、あるいはそれ以上設けてもよい。
【００３７】
なお、ピン５を、末広がり状の筒１の中に竪型ポンプ１００を挿入した際に、竪型ポンプ１００を立面図的に見て、竪型ポンプ１００の吐出しボウル１８の外径と、末広がり状の筒１の内径と、の間の空間に、挿通可能に設けるとは、図４に示すように、吐出しボウル１８の外形上の位置ａよりもピン５の内側の位置ｂの方が末広がり状の筒１の内側に位置する場合も、図５に示すように、吐出しボウル１８の下端に設けたフランジ１０１の外形上の位置ａよりもピン５の内側の位置ｂの方が末広がり状の筒１の内側に位置する場合も含む意味とする。
【００３８】
（第四の実施の形態）
さらに、また別の実施の形態の説明に移る。図６に本発明の第四の実施の形態を示す。竪型ポンプ１００の吸込みカバー１９の先にストレーナ６が設けられている場合に、二つの支持部材２の、末広がり状の筒１の側部を回動可能に支持する位置ｅから、二つの支持部材２の下端位置ｆまでの寸法が、ストレーナ６が他の部材（例えば、図６中の補強部材２ａ）または地面２２と干渉することのない値としている。
【００３９】
ここで、他の部材には例えば底板２４なども含む。
【００４０】
先述の補強部材２ａを設けずに底板２４だけ設けるような場合には、二つの支持部材２の下端位置ｆは底板２４の上部と一致するから、二つの支持部材２の、末広がり状の筒１の側部を回動可能に支持する位置ｅから、二つの支持部材２の下端位置ｆまでの寸法が、ストレーナ６が底板２４と干渉することのない値とすることになる。
【００４１】
また、先述の補強部材２ａを設けて底板２４も設けるような場合には、二つの支持部材２の、末広がり状の筒１の側部を回動可能に支持する位置ｅから、二つの支持部材２の下端位置ｆまでの寸法を、末広がり状の筒１の側部を回動可能に支持する位置ｅからストレーナ６の下端までの寸法よりも、補強部材２ａの図６中に示した方向の寸法ｇとその下側の空間の図６中に示した方向の寸法ｈの合計分だけは最低、長くなるようにし、ストレーナ６が補強部材２ａと干渉することのない値とすることになる。
【００４２】
ストレーナ６は１０乃至１５ｍｍメッシュの金網製のため、以上のようにすることにより、他の部材または地面２２と干渉して破損してしまうのを防止することができる。
【００４３】
さて、本実施の形態における場合に限る必要はないが、底板２４を設ける場合には、図６（ａ）（ｂ）に示すような起立姿勢から、図６（ｃ）に示すような横転姿勢にする過程で、竪型ポンプ横転装置１０が全体としてひっくり返ってしまうのを防止する目的で、底板２４の支持部材２と干渉しない位置に錘７を設置してもよい。
【００４４】
（第五の実施の形態）
そして、また別の実施の形態の説明に移る。図７に本発明の第五の実施の形態を示す。末広がり状の筒１の中に竪型ポンプ１００を挿入しない状態で、末広がり状の筒１の末広がり側が、上方を向くような、バランスウエイト８を、末広がり状の筒１の反末広がり側に設ける。
【００４５】
バランスウエイト８を設ければ、竪型ポンプ１００を挿入しない状態では、末広がり状の筒１の末広がり側が、必ず上方を向くことから、一つの竪型ポンプ１００の横転作業が終了した後、次の竪型ポンプ１００の横転作業にただちに入ることができる。
【００４６】
さて、本実施の形態における場合に限る必要はないが、末広がり状の筒１の中に竪型ポンプ１００を挿入して横転作業が終了した後、末広がり状の筒１の末広がり側が、必ず上方を向くようにしたいのではなくて、末広がり状の筒１を横転させたままの状態にしておきたい場合もあるが、そういう場合のために、図７中に示すように、先述のピン５とは別のピン９を設け、それに伴って、ピン穴設置部材１ａ、ピン穴設置部材２ｂをそれぞれ末広がり状の筒１、支持部材２などに設けるなどしてもよい。
【００４７】
また、これも本実施の形態における場合に限る必要はないが、末広がり状の筒１の中に竪型ポンプ１００を挿入する際に、末広がり状の筒１の内側にライナー１ｂを設け、竪型ポンプ１００のフランジ１０１との隙間を調整可能とし、サイズの異なるポンプの横転作業を可能とすることができる。
【００４８】
以上の通りであるが、本発明の実施の形態は、以上説明してきた五つの実施の形態に限られるものではない。すなわち、第二の実施の形態以降の説明に登場してくる、せり出し部４、ピン５と係止部分５ａ、補強部材２ａ、錘７、バランスウエイト８、ライナー１ｂ、ピン９とそれに伴うピン穴設置部材１ａ、２ｂ、底板２４などは、それらのうちの一つ、または、二つ以上を組み合わせて、どの実施の形態に係る横転装置１０に設けてもよい。
【００４９】
また、ストレーナ６は、第四の実施の形態以降、すなわち、第四または第五の実施の形態のいずれに係る竪型ポンプ１００に設けてもよい。
【実施例】
【００５０】
鉄鋼分野における、厚板の製造を行なう工場に付設のスケールピットで用いている竪型ポンプ１００の横転作業を行なう目的で、第五の実施の形態にて説明した、横転装置１０を用いた。しかも、せり出し部４、ピン５と係止部分５ａ、ストレーナ６、補強部材２ａ、錘７、バランスウエイト８、ライナー１ｂ、ピン９とそれに伴うピン穴設置部材１ａ、２ｂ、底板２４の全てが設けられている。
【００５１】
竪型ポンプ１００は、図８に示すように、高さは、ストレーナ６の下端から吐出しエルボ１７に向かう湾曲部下端までにして１１．２ｍもあり、重量は５トンもある。これにさらにポンプを駆動するための３．５トンもあるモータが、その上方に取り付けられている。
【００５２】
竪型ポンプ１００を横転するのに、例えば、特許文献１などでは竪型ポンプの横転時、吸込みカバーの案内部材を床部に固定できないため、吊り降ろしは非常にゆっくりした速さとなり、竪型ポンプ１００の吊りおろし開始から横転終了までの時間も１０分以上要していたが、本発明の第五の実施の形態に係る横転装置１０を用いた場合、特に人力による助けを要することもなく、安全に横転作業を行なうことができ、要した時間も５分に短縮できた。
【図面の簡単な説明】
【００５３】
【図１】本発明の一つの実施の形態について説明するための線図
【図２】本発明の一つの実施の形態について説明するための線図
【図３】本発明の一つの実施の形態について説明するための線図
【図４】本発明の一つの実施の形態について説明するための線図
【図５】本発明の一つの実施の形態について説明するための線図
【図６】本発明の一つの実施の形態について説明するための線図
【図７】本発明の一つの実施の形態について説明するための線図
【図８】本発明の一つの実施の形態について説明するための線図
【図９】従来技術について説明するための線図
【図１０】従来技術について説明するための線図
【図１１】従来技術について説明するための線図
【図１２】従来技術について説明するための線図
【図１３】従来技術について説明するための線図
【図１４】従来技術について説明するための線図
【符号の説明】
【００５４】
１  末広がり状の筒
１ａ  ピン穴設置部材
１ｂ  ライナー
２  支持部材
２ａ  補強部材
２ｂ  ピン穴設置部材
３  支持ピン
４  せり出し部
５  ピン
５ａ  係止部分
６  ストレーナ
７  錘
８  バランスウエイト
９  ピン
１０  竪型ポンプ横転装置（横転装置）
１１  主軸
１２  接続金具
１２ａ  ネジ
１３  羽根車
１４  ナット
１５  保護管
１６  揚水管
１７  吐出しエルボ
１８  吐出しボウル
１９  吸込みカバー（吸込みベル）
１９Ａ  環状凹部
１９ａ  ピン穴
１９ｂ  支持ピン
２０  案内部材
２０Ａ  案内部材２０の外面
２１  横転台
２１ａ  ピン穴
２１ｂ  支持部材
２１ｃ  ネジ穴
２１ｄ  止めネジ
２１ｅ  通し穴
２２  地面
２３  リブ
２４  台板
２５  架台
２６  揚げおろし機
２７  レベリングパッド
２８  アイボルト
３０  横転装置
３１  立軸
３２  接続金具
３２Ａ  支持軸
３３  調整ボルト
３３ａ  ナット
３４  切り欠き
３７  揺動台
３７ａ  支点
３７ｂ  ボス部
３７ｃ  水平腕部
３７ｄ  垂直腕部
３７ｅ  案内面
３８  回動軸
３９  ばね
４１  横転装置
４２  基部
４５  回転子
４５ａ  回転子本体
４５ｂ  上側軸部
４６  把持部
４６ａ  係止部
４６ｂ  掛止ボルト
４６ｃ  ナット
４７  車輪装置
４８  軸挿入部
４９  支持体
４９ａ  底部
４９ｂ  脚部
１００  竪型ポンプ
１０１  フランジ
１０２  締結ボルト
Ｃ  軸線
ａ  吐出しボウル１８（フランジ１０１）の外形上の位置
ｂ  ピン５の内側の位置
ｄ  せり出し部４の内側の寸法
ｄ１  吐出しボウル１８の外形上の寸法
ｄ２  フランジ１０１の外形上の寸法
【図１】
2010151020.tif 000003
【図２】
2010151020.tif 000004
【図３】
2010151020.tif 000005
【図４】
2010151020.tif 000006
【図５】
2010151020.tif 000007
【図６】
2010151020.tif 000008
【図７】
2010151020.tif 000009
【図８】
2010151020.tif 000010
【図９】
2010151020.tif 000011
【図１０】
2010151020.tif 000012
【図１１】
2010151020.tif 000013
【図１２】
2010151020.tif 000014
【図１３】
2010151020.tif 000015
【図１４】
2010151020.tif 000016